(57)【要約】【課題】変動磁場を効率的に作用させることができる磁気保健器を提供する。【解決手段】回転方向に沿って着磁された磁石１２と、磁石１２の回転軸３１周りに磁石１２を回転させる第１の回転機構１３と、磁石１２の回転軸３１の直交軸方向周りに磁石１２を回転させる第２の回転機構１４と、磁石１２、第１の回転機構１３および第２の回転機構１４を人体に対して支持する支持手段１５と、を備えた。【選択図】図１
2015217160.tif 000002
【特許請求の範囲】
【請求項１】
回転方向に沿って着磁された磁石と、
前記磁石の回転軸周りに前記磁石を回転させる第１の回転機構と、
前記磁石の前記回転軸の直交軸方向周りに前記磁石を回転させる第２の回転機構と、
前記磁石、前記第１の回転機構および前記第２の回転機構を人体に対して支持する支持手段と、を備えた磁気保健器。
【請求項２】
前記支持手段は、前記磁石、前記第１の回転機構および前記第２の回転機構を頭部に支持する請求項１記載の磁気保健器。
【請求項３】
前記支持手段は、前記磁石、前記第１の回転機構および前記第２の回転機構を両側頭部に支持する請求項１記載の磁気保健器。
【請求項４】
前記第１の回転機構は、前記磁石の前記回転軸に固定された第１のギヤと、前記第１のギヤと噛み合う第２のギヤと、を備え、
前記第２の回転機構は、モーターと、前記モーターに設けられた第３のギヤと、前記磁石を前記回転軸周りに回転可能に支持する回転板と、前記回転板に設けられ、前記第３のギヤと噛み合う第４のギヤと、を備え、
前記モーターの回転による前記第３のギヤおよび前記第４のギヤの回転に伴い前記回転板が回転することにより、前記磁石は前記直交軸方向周りに回転し、前記磁石の前記直交軸方向周りの回転に伴い、前記第１のギヤが前記第２のギヤ上を回転し移動することにより、前記磁石は前記回転軸周りに回転する請求項１−３のいずれか１項記載の磁気保健器。
【請求項５】
前記支持手段は一対のテンプルを有するメガネ形状であり、前記一対のテンプルに前記磁石、前記第１の回転機構および前記第２の回転機構が支持された請求項１−４のいずれか１項記載の磁気保健器。
【請求項６】
回転方向に沿って着磁された磁石を、前記磁石の回転軸周りに回転する第１の回転ステップと、
前記磁石を、前記磁石の前記回転軸の直交軸方向周りに回転させる第２の回転ステップと、
前記磁石を人体に対して支持する支持ステップと、を備えた磁気保健器の使用方法。
【発明の詳細な説明】
【技術分野】
【０００１】
本発明は、変動磁場を利用した磁気保健器および磁気保健器の使用方法に関する。
【背景技術】
【０００２】
磁気が人体に及ぼす影響の研究の進展に伴い、定常磁場より変動磁場の方が人体中の血液などの体液の循環促進効果が大きいという知見が得られている。例えば、特許文献１には、変動磁場に加え、同時に振動を与えることにより、人体中の血液などの体液に循環促進効果を与える磁気保健器用回転磁気発生装置が開示されている。
【先行技術文献】
【特許文献】
【０００３】
【特許文献１】特開２００１−０６１９７６号公報
【発明の概要】
【発明が解決しようとする課題】
【０００４】
磁気保健器を使用する際、人体の種々の要素に効率よく変動磁場を作用させるのが好ましい。しかし、特許文献１に記載された磁気発生装置は回転軸周りの回転に加えて振動はするものの、特定の位置に装置が配置された場合には形成される変動磁場自体の有効範囲は限られてしまい、十分とはいえない。このため、種々の要素に磁場を作用させるためにはその都度位置を変更する手間が発生してしまう。
【０００５】
本発明はこのような事情を考慮してなされたもので、変動磁場を効率的に作用させることができる磁気保健器および磁気保健器の使用方法を提供することを目的とする。
【課題を解決するための手段】
【０００６】
本発明に係る磁気保健器は、上述した課題を解決するために、回転方向に沿って着磁された磁石と、前記磁石の回転軸周りに前記磁石を回転させる第１の回転機構と、前記磁石の前記回転軸の直交軸方向周りに前記磁石を回転させる第２の回転機構と、前記磁石、前記第１の回転機構および前記第２の回転機構を人体に対して支持する支持手段と、を備えた。
また、本発明に係る磁気保健器の使用方法は、回転方向に沿って着磁された磁石を、前記磁石の回転軸周りに回転する第１の回転ステップと、前記磁石を、前記磁石の前記回転軸の直交軸方向周りに回転させる第２の回転ステップと、前記磁石を人体に対して支持する支持ステップと、を備えるものである。
【発明の効果】
【０００７】
本発明に係る磁気保健器および磁気保健器の使用方法においては、変動磁場を効率的に作用させることができる。
【図面の簡単な説明】
【０００８】
【図１】本実施形態における磁気保健器の内板側の内部構造の説明図。
【図２】磁気保健器の外板側の内部構造の説明図。
【図３】磁気保健器の内部構造を説明する図であって、装着時における上方から見た断面図。
【図４】第１の回転機構を説明する構成図。
【図５】第２の回転機構を説明する構成図。
【発明を実施するための形態】
【０００９】
本発明に係る磁気保健器および磁気保健器の使用方法の一実施形態を添付図面に基づいて説明する。
【００１０】
図１は、本実施形態における磁気保健器１の内板５１側の内部構造の説明図である。
図２は、磁気保健器１の外板５２側の内部構造の説明図である。
図３は、磁気保健器１の内部構造を説明する図であって、装着時における上方から見た部分断面図である。
図４は、第１の回転機構１３を説明する構成図である。
図５は、第２の回転機構１４を説明する構成図である。
【００１１】
本実施形態における磁気保健器１は、図１に示すようにメガネ形状の外観を有し、使用者がメガネのように装着することにより使用される。
【００１２】
磁気保健器１は、磁石１２と、第１の回転機構１３と、第２の回転機構１４と、フレーム１５（支持手段）とを有する。
【００１３】
磁石１２は、回転方向に沿ってＮ極２１とＳ極２２とに着磁された円柱状磁石である。すなわち、磁石１２は、円柱の軸を含む面で二分され、一方がＮ極２１、他方がＳ極２２に着磁される。
【００１４】
図４に示すように、第１の回転機構１３は、磁石１２の回転軸３１周りに磁石１２を回転させる。この回転軸３１は、磁石１２の円柱軸とほぼ一致する軸である。第１の回転機構１３は、磁石１２の回転軸３１に固定された回転軸ギヤ３２（第１のギヤ）と、回転軸ギヤ３２と噛み合う固定板ギヤ３３（第２のギヤ）と、を備える。
【００１５】
固定板ギヤ３３は、図２に示すように、固定板３４外縁に、周方向に設けられる。固定板３４は、フレーム１５（テンプル５３）の外板５２に固定された円形の部材である。回転軸ギヤ３２は、回転軸３１を介して磁石１２に固定される。このため、回転軸ギヤ３２の固定板ギヤ３３上の移動に伴い、磁石１２は回転軸３１周りに回転する。
【００１６】
図５に示すように、第２の回転機構１４は、磁石１２の回転軸３１と直交する直交軸方向周り（略直交軸周り）に磁石１２を回転させる。この直交軸は、磁気保健器１の装着時における水平方向（フレーム１５の内側（内板５１）と外側（外板５２）とを結ぶ方向）と一致する軸である。第２の回転機構１４は、モーター４１と、モーターギヤ４２と、回転板４３と、回転板ギヤ４４とを備える。
【００１７】
モーター４１（減速機モーター）は、図１に示すように、リード線４５を介してバッテリー４６と接続され、バッテリー４６より供給される電力で駆動する。また、バッテリー４６には、モーター駆動用ＩＣが設けられる。モーターギヤ４２は、モーター４１の軸に設けられたギヤである。回転板４３は、円形の部材であり、磁石１２を回転軸３１周りに回転可能な状態で支持する。具体的には、磁石１２を収容するケース４７が回転板４３に固定され、磁石１２はこのケース４７に回転軸３１が回転可能な状態で支持される。回転板４３は、フレーム１５の内板５１に軸４８を介して回転可能に支持される。また、回転板４３は、回転板４３の回転を支持するための支持部材４９を有する。回転板ギヤ４４は、回転板４３の外縁に、周方向に設けられ、モーターギヤ４２と噛み合う。このため、モーターギヤ４２の回転に伴い、回転板ギヤ４４は軸４８を中心に回転する。なお、モーターギヤ２４と回転板ギヤ４４との噛み合いを確実にするため、モーターギヤ４２を回転板ギヤ４４の方向に支持する支持用ギヤを設けたり、モーター４１の振動を抑制するベルトを設けたりしてもよい。
【００１８】
フレーム１５（支持手段）は、磁石１２、第１の回転機構１３および第２の回転機構１４を使用者の頭部に支持する。フレーム１５は一対のテンプル５３を有するメガネ形状であり、一対のテンプル５３に磁石１２、第１の回転機構１３および第２の回転機構１４が支持される。なお、図１においては、フレーム１５の一部のみを示すが、実際には左右のテンプル５３内にそれぞれ磁石１２、第１の回転機構１３および第２の回転機構１４が設けられ、これらを使用者の両側頭部に支持する。
【００１９】
このように構成された本実施形態における磁気保健器１は、磁石１２を２軸周りに回転させる。すなわち、本実施形態における磁気保健器１は、回転方向に沿って着磁された磁石１２を、磁石１２の回転軸３１周りに回転する第１の回転ステップと、磁石１２を、磁石１２の回転軸３１の直交軸方向周りに回転させる第２の回転ステップと、磁石１２を人体に対して支持する支持ステップとを実施することにより使用される。さらに詳細には、モーター４１の回転によるモーターギヤ４２および回転板ギヤ４４の回転に伴い、回転板４３が回転する。これにより、磁石１２は、回転板４３と共に軸４８（磁石１２の直交軸）周りに回転する。磁石１２の軸４８周りの回転に伴い、固定板ギヤ３３上を回転軸ギヤ３２が回転し移動する。これにより、磁石１２は回転軸３１周りに回転する。
【００２０】
なお、第１の回転機構１３および第２の回転機構１４の回転速度は、任意に設定することができる。例えば、第２の回転機構１４、すなわち回転板４３の回転は、例えば１ｒｐｍとすることができる。第１の回転機構１３、すなわち回転軸ギヤ３２の回転は、例えば４ｒｐｍとすることができる。
【００２１】
また、モーター４１は、回転板４３が一定角度（例えば４５度）回転した時点で停止するなど、間欠的に動作してもよい。これにより、消費電力を効果的に削減することができる。
【００２２】
このような本実施形態における磁気保健器１は、磁石１２を２軸周りに回転させることができ、変動磁場をより効果的に作用させることができる。特に、両側頭部に変動磁場が作用するよう、テンプル５３部分に左右対称に磁石１２を配置することにより、より効果的に作用させることができる。すなわち、回転軸３１周りのみで回転する場合に比べて、より広範囲に、放射状に近い変動磁場を作用させることができる。特に、頭部には、眼、脳、耳、鼻、顔面の皮膚など人体において重要な役割を果たす要素が多々存在する。このため、人体の頭部は、磁気保健器１の治療効果を与える対象として好ましいといえる。本実施形態における磁気保健器１は、頭部全体の体液の循環などを良好にすることができ、眼、脳、耳、鼻、皮膚などに効率的に治療効果を与えることができる。
【００２３】
例えば、眼の屈折異常、乾き目などの眼の疾患、副鼻腔炎、花粉症、軽度の難聴、皮膚細胞の若返りなどに効果があると考えられる。
【００２４】
また、磁石１２を回転させるための機構を、本実施形態の第１および第２の回転機構１３、１４のように構成することにより、磁気保健器１を小型化することもできる。
【００２５】
本発明のいくつかの実施形態を説明したが、これらの実施形態は、例として提示したものであり、発明の範囲を限定することは意図していない。
【００２６】
例えば、支持手段はメガネ形状に限らず、ベルトや被り物で頭部に支持してもよい。また、本発明の磁気保健器および磁気保健器の使用方法は、頭部のみならず、人体の種々の箇所に使用することができる。さらに、磁石１２を２軸周りに回転可能であれば、本実施形態の第１および第２の回転機構１３、１４に限らない。
【符号の説明】
【００２７】
１    磁気保健器
１２    磁石
１５    フレーム
２１    Ｎ極
２２    Ｓ極
３１    回転軸
３２    回転軸ギヤ
３３    固定板ギヤ
３４    固定板
４１    モーター
４２    モーターギヤ
４３    回転板
４４    回転板ギヤ
４５    リード線
４６    バッテリー
４７    ケース
４８    軸
４９    支持部材
５１    内板
５２    外板
５３    テンプル
【図１】
2015217160.tif 000003
【図２】
2015217160.tif 000004
【図３】
2015217160.tif 000005
【図４】
2015217160.tif 000006
【図５】
2015217160.tif 000007